(57)【要約】【課題】利便性を向上できる録画装置を提供する。【解決手段】録画装置１は、放送番組を受信するチューナ１１ａ〜１１ｃと、チューナ１１ａ〜１１ｃにより受信された複数の放送番組を一時的に記憶する第１記憶部１８と、所定の検索条件を記憶する第２記憶部１９と、検索条件を満たす放送番組を一時記憶中の所定のタイミングで検索して抽出する抽出部１３と、を備える。【選択図】図４
2016005127.tif 000002
【特許請求の範囲】
【請求項１】
放送番組を受信するチューナと、
前記チューナにより受信された複数の前記放送番組を一時的に記憶する第１記憶部と、
所定条件を記憶する第２記憶部と、
前記所定条件を満たす前記放送番組を一時記憶中の所定のタイミングで検索して抽出する抽出部と、
を備える録画装置。
【請求項２】
前記抽出部によって抽出された前記放送番組を第２記憶部に記憶することを特徴とする請求項１に記載の録画装置。
【請求項３】
前記抽出部によって抽出された前記放送番組の第１記憶部からの消去を禁止することを特徴とする請求項１に記載の録画装置。
【請求項４】
前記所定条件は、第２記憶部に記憶された前記放送番組と同一の番組名であって放送回または放送日時が異なるという条件であることを特徴とする請求項１〜請求項３のいずれかに記載の録画装置。
【請求項５】
表示部を備え、
前記抽出部によって抽出された前記放送番組に関する情報を表示することを特徴とする請求項１〜請求項４のいずれかに記載の録画装置。
【請求項６】
所定の外部機器に対して、前記抽出部によって抽出された前記放送番組に関する情報を送信することを特徴とする請求項１〜請求項５のいずれかに記載の録画装置。
【発明の詳細な説明】
【技術分野】
【０００１】
本発明は、放送番組を一時的に記憶する記憶部を備えた録画装置に関する。
【背景技術】
【０００２】
特許文献１には、従来の録画装置が開示されている。この録画装置はチューナ、第１記憶部及び第２記憶部を有する。チューナはＴＶ放送局から放送番組を受信する。第１記憶部にはチューナにより受信された放送番組が一時的に記憶される。第２記憶部には使用者の所望の放送番組が第１記憶部よりも長く記憶される。
【０００３】
上記構成の録画装置において、使用者の録画予約等の指示がなくとも、チューナにより受信された放送番組の全部又は一部は自動的に第１記憶部に記憶されていく。これにより、例えば放送時間内に視聴や録画予約を行うことができなかった過去に放送された放送番組（過去番組）を放送時間終了後に視聴することができる。そして、第１記憶部の空き容量がなくなると、最も古い記憶済の過去番組から順に第１記憶部から消去される。
【０００４】
また、録画装置は第１記憶部に記憶された過去番組を第２記憶部に記憶させる再録画モードを有する。使用者の操作により再録画モードが開始される。再録画モードでは、過去番組を検索するためのキーワードが使用者により入力され、キーワードに一致する過去番組が第１記憶部内で検索される。そして、キーワードに一致した過去番組は第２記憶部に記憶（再録画）される。これにより、所望の過去番組を第２記憶部で長期保存することができる。
【先行技術文献】
【特許文献】
【０００５】
【特許文献１】特開２００２−２０９１６８号公報（第４頁、第４図）
【発明の概要】
【発明が解決しようとする課題】
【０００６】
しかしながら、上記従来の録画装置によると、使用者が失念して再録画モードの指示が長期間行われない場合、再録画モードが開始された時には所望の過去番組が第１記憶部から消去されている虞がある。したがって、所望の過去番組を第２記憶部で長期保存することができず、録画装置の利便性が低下する問題があった。
【０００７】
本発明は、利便性を向上できる録画装置を提供することを目的とする。
【課題を解決するための手段】
【０００８】
上記目的を達成するために、本発明の録画装置は、放送番組を受信するチューナと、前記チューナにより受信された複数の前記放送番組を一時的に記憶する第１記憶部と、所定条件を記憶する第２記憶部と、前記所定条件を満たす前記放送番組を一時記憶中の所定のタイミングで検索して抽出する抽出部と、を備えることを特徴としている。
【０００９】
この構成によると、チューナにより受信された放送番組は第１記憶部で一時的に記憶される。第２記憶部には所定条件が記憶される。所定条件を満たす記憶済の放送番組は第１記憶部から消去される前の所定のタイミングで検索され、抽出される。
【００１０】
また本発明は、上記構成の録画装置において、前記抽出部によって抽出された前記放送番組を第２記憶部に記憶すると好ましい。この構成によると、所定条件を満たす放送番組は、第１記憶部から第２記憶部へ移動する。
【００１１】
また本発明は、上記構成の録画装置において、抽出された前記放送番組の第１記憶部からの消去を禁止すると好ましい。この構成によると、所定条件を満たす放送番組は、第１記憶部から消去されずに第１記憶部で保持される。
【００１２】
また本発明は、上記構成の録画装置において、前記所定条件は、第２記憶部に記憶された前記放送番組と同一の番組名であって放送回または放送日時が異なるという条件であると好ましい。この構成によると、例えばシリーズ性を有する放送番組であって第２記憶部に記憶し忘れた（録画し忘れた）放送回の放送番組が抽出される。
【００１３】
また本発明は、上記構成の録画装置において、表示部を備え、前記抽出部によって抽出された前記放送番組に関する情報を前記表示部に表示するとより好ましい。
【００１４】
また本発明は、上記構成の録画装置において、所定の外部機器に対して、前記抽出部によって抽出された前記放送番組に関する情報を送信するとより好ましい。
【発明の効果】
【００１５】
本発明によると、チューナにより受信された複数の放送番組を一時的に記憶する第１記憶部を備えるため、例えば放送時間内に視聴や録画予約できなかった放送番組を放送時間終了後にテレビジョン受像装置等を用いて視聴することができる。また、所定条件を満たす放送番組は第１記憶部での一時記憶中の所定のタイミングで検索され、抽出される。これにより、所望の放送番組が第１記憶部から消去される前に、例えば第２記憶部等で所望の放送番組を長期保存する機会を得ることができる。したがって、録画装置の利便性を向上させることができる。
【図面の簡単な説明】
【００１６】
【図１】本発明の第１実施形態の録画装置と録画装置に接続されるテレビジョン受像装置を示す正面図
【図２】本発明の第１実施形態の録画装置の構成を示すブロック図
【図３】本発明の第１実施形態の録画装置に接続されるテレビジョン受像装置の本体部の構成を示すブロック図
【図４】本発明の第１実施形態の録画装置の過去番組保存動作を示すフローチャート
【図５】本発明の第１実施形態の録画装置の過去番組表のイメージ図
【図６】本発明の第２実施形態の録画装置の過去番組保存動作を示すフローチャート
【図７】本発明の第３実施形態の録画装置と通信を行う携帯情報端末を示す正面図
【発明を実施するための形態】
【００１７】
＜第１実施形態＞
以下に図面を参照して本発明の実施形態を説明する。図１は第１実施形態の録画装置及び録画装置に接続されるテレビジョン受像装置を示す正面図である。ＤＶＤ装置やＢｌｕ−ｒａｙ（登録商標）装置等の録画装置１は居室内のラック９０上に載置され、接続ケーブル１７ａ（図２参照）によりテレビジョン受像装置２の本体部２０に接続される。
【００１８】
録画装置１はチューナ１１ａ〜１１ｃ（図２参照）によりＴＶ放送局から放送番組を受信する。チューナ１１ａ〜１１ｃにより受信された放送番組の全部又は一部の映像や音声は第１記憶部１８（図２参照）に自動的に記憶される。すなわち、録画装置１は、使用者による録画予約等がなくともチューナ１１ａ〜１１ｃにより受信された放送番組の全部又は一部を第１記憶部１８に自動的に記憶し続ける自動録画を行うことができる。
【００１９】
これにより、放送時間内に視聴や録画予約を行うことができなかった過去の放送番組（過去番組）について、放送時間終了後に第１記憶部１８から第２記憶部１９（図２参照）への記憶（再録画）やテレビジョン受像装置２を介しての視聴を行うことができる。また、録画装置１はディスク等の記憶媒体（不図示）に放送番組を記憶させることができる。
【００２０】
録画装置１は表示部１４及び操作部１５を有する。表示部１４は例えば液晶表示パネルを有し、録画操作中の放送番組名や録画時間等を表示する。操作部１５は複数の操作ボタン１５ａを有し、各操作ボタン１５ａの操作により録画装置１への電源投入や第１記憶部１８や第２記憶部１９に記憶された映像や音声の再生動作等を行うことができる。
【００２１】
録画装置１はリモートコントローラ８０と赤外線やＢｌｕｅｔооｔｈ（登録商標）規格に従った無線通信を行い、リモートコントローラ８０によって遠隔操作される。リモートコントローラ８０は十字キー８０ａ及び文字キー８０ｂを有する。
【００２２】
テレビジョン受像装置２はラック９０等に設置される設置部２３により支持される本体部２０を有し、ＴＶ放送局から放送番組を受信する。本体部２０の前面には表示部２１及び音声出力部２２が設けられる。表示部２１は例えば液晶表示パネルから成る画面２１ａを有し、ＴＶ放送局から受信した映像信号に基づく映像（放送番組の映像）や録画装置１で再生された映像を画面２１ａに表示する。音声出力部２２はスピーカから成り、音声を出力する。これにより、使用者は放送中の放送番組や過去番組を視聴することができる。
【００２３】
また、本体部２０はリモートコントローラ８０と赤外線やＢｌｕｅｔооｔｈ（登録商標）規格に従った無線通信を行い、リモートコントローラ８０によって遠隔操作される。
【００２４】
図２は、録画装置１の構成を示すブロック図である。録画装置１はＣＰＵから成る制御部１０を備え、制御部１０は録画装置１の各部を制御する。制御部１０には、チューナ１１ａ〜１１ｃ、エンコーダ１２、表示部１４、操作部１５、無線接続部１６、有線接続部１７、第１記憶部１８及び第２記憶部１９がそれぞれ接続される。また、制御部１０には抽出部１３が設けられ、抽出部１３は後述の過去番組保存動作の際に検索条件を満たす過去番組を検索して抽出する。
【００２５】
チューナ１１ａ〜１１ｃにはアンテナ１１１が接続され、チューナ１１ａ〜１１ｃはアンテナ１１１を介してＴＶ放送局からＴＶ放送信号を受信して復調する。録画装置１はチューナ１１ａ〜１１ｃを有しているため、異なる複数のチャンネルの放送番組を同時に受信することができる。なお、本実施形態の録画装置１はチューナを３個有しているが、チューナの数はこれに限定されない。例えば、録画装置１は４個以上のチューナを有してもよく、チューナを１個のみ有してもよい。
【００２６】
また、チューナ１１ａ〜１１ｃは各放送局の番組表のデータを受信する。番組表には、各放送局毎に番組名、出演者、放送時間等の情報が含まれる。受信された番組表のデータは第２記憶部１９に記憶される。ここで、放送時間が終了した過去番組についての番組表を過去番組表（図５参照）とし、これから放送時間が始まる番組（未来番組）についての番組を未来番組表とする。例えば、現在が５月１０日とすれば、５月１日付の番組表が過去番組表となり、５月１２日付の番組表が未来番組表となる。
【００２７】
第１記憶部１８は例えばハードディスクドライブ（ＨＤＤ）等から成り、チューナ１１ａ〜１１ｃにより受信された放送番組の全部又は一部を自動的に記憶することができる。第１記憶部１８の空き容量がなくなると、新しく受信した放送番組を古い過去番組に上書きする。すなわち、最も古い過去番組から順に自動的に消去される。これにより、第１記憶部１８はチューナ１１ａ〜１１ｃにより受信された放送番組を一時的に記憶する。なお、本実施形態では、第１記憶部１８は６個のチャンネルの７日分の放送番組を全て一時記憶することができるようになっている。すなわち、受信された放送番組の第１記憶部１８での記憶期間は約７日間となっている。
【００２８】
第２記憶部１９は例えばハードディスクドライブ（ＨＤＤ）等から成り、録画装置１の動作プログラムや各種データを記憶する。各種データには、前述の番組表、後述の過去番組保存動作の際に使用される検索条件、過去番組保存動作により記憶（再録画）された放送番組が含まれる。なお、第１記憶部１８とは異なり、第２記憶部１９に記憶された放送番組は自動的には消去されない。これにより、第２記憶部１９では、記憶済の放送番組を長期保存することができる。
【００２９】
検索条件としては、例えば検索前に第２記憶部１９に予め記憶された放送番組と同一の番組名（タイトル）であって放送回が異なるという検索条件が設定される。また、検索条件として、使用者の好む放送番組のジャンル（例えば「ドラマ」や「映画」等）やキーワード（例えば「動物」や「乗り物」等）を設定してもよい。なお、操作部１５の操作ボタン１５ａやリモートコントローラ８０の十字キー８０ａ、文字キー８０ｂを操作して検索条件を入力することができる。
【００３０】
エンコーダ１２はチューナ１１ａ〜１１ｃからエンコーダ１２へ送信された放送番組のデータを符号化して圧縮する（標準圧縮モード）。エンコーダ１２により圧縮された放送番組は第１記憶部１８に一時的に記憶される。なお、標準圧縮モードに加えて、標準圧縮モードよりも圧縮率の高い高圧縮モードを設け、エンコーダ１２は使用者の指示により高圧縮モードで放送番組を圧縮してもよい。
【００３１】
なお、操作部１５やリモートコントローラ８０の所定操作により、チューナ１１ａ〜１１ｃで受信された放送番組をエンコーダ１２による圧縮処理を経ずに第１記憶部１８に記憶させてもよい。これにより、放送番組の画質や音質をほとんど劣化させずに第１記憶部１８に放送番組を一時的に記憶することができる。
【００３２】
無線接続部１６にはアンテナ１６ａが設けられる。無線接続部１６はアンテナ１６ａを介してＢｌｕｅｔооｔｈ規格に従った無線通信によりリモートコントローラ８０との間で通信データの送受信を行う。
【００３３】
有線接続部１７には接続ケーブル１７ａを介してテレビジョン受像装置２の本体部２０が接続される。接続ケーブル１７ａはＨＤＭＩ（High-Definition Multimedia Interface）（登録商標）規格に準拠している。また、接続ケーブル１７ａにはＣＥＣ（Consumer Electronics Control）制御線（不図示）が設けられる。録画装置１やテレビジョン受像装置２の本体部２０で設定した機能を動作させるためのコマンドはＣＥＣ制御線を介して録画装置１と本体部２０との間で送受信される。これにより、録画装置１と本体部２０との間で相互に機能を制御することができる。例えば、有線接続部１７により、録画装置１は本体部２０に対して制御信号を送信することができる。
【００３４】
図３は、テレビジョン受像装置２の本体部２０の構成を示すブロック図である。本体部２０はＣＰＵから成る制御部２９を備え、制御部２９はテレビジョン受像装置２の本体部２０の各部を制御する。制御部２９には、チューナ２４、音声出力部２２、表示部２１、操作部２５、無線接続部２６、有線接続部２７及び記憶部２８がそれぞれ接続される。
【００３５】
操作部２５は本体部２０の上面や側面に配される複数の操作ボタン（不図示）を有し、各操作ボタンの操作により本体部２０への電源投入、チャンネルの変更、音声出力部２２から出力される音量の調節等を行うことができる。
【００３６】
チューナ２４にはアンテナ２４ａが接続され、チューナ２４はアンテナ２４ａを介してＴＶ放送局からＴＶ放送信号を受信して復調する。
【００３７】
無線接続部２６にはアンテナ２６ａが設けられる。無線接続部２６はアンテナ２６ａを介してＢｌｕｅｔооｔｈ規格に従った無線通信によりリモートコントローラ８０との間で通信データの送受信を行う。
【００３８】
有線接続部２７には接続ケーブル１７ａを介して録画装置１が接続される。例えば、有線接続部２７により、本体部２０は録画装置１に対して制御信号を送信することができる。
【００３９】
記憶部２８は例えばＥＥＰＲＯＭ等から成り、本体部２０の動作プログラムや各種データを記憶する。
【００４０】
図４は録画装置１の過去番組保存動作を示すフローチャートである。過去番組保存動作では、第１記憶部１８に一時的に記憶されて所定条件を満たす過去番組を検索して抽出する。録画装置１の主電源がオンされた状態で、所定の動作開始時刻（例えば午後８時）になると、過去番組保存動作が開始される。すなわち、本実施形態では２４時間ごとに過去番組保存動作が開始される。なお、使用者が居室内にいることが多い時刻を動作開始時刻に設定すると好ましい。
【００４１】
ステップ＃１では、所定の検索条件を満たす過去番組の検索が行われる。ステップ＃２では、検索条件を満たす過去番組が第１記憶部１８内に存在するか否かが判断される。本実施形態では、第２記憶部１９に記憶された放送番組「Ａ」と同一の番組名であって放送回が異なるという検索条件が設定される。例えば、第２記憶部１９に放送番組「Ａ  第１回」〜「Ａ  第３回」、「Ａ  第５回」及び「Ａ  第７回」が記憶されている場合には、「Ａ  第Ｎ回」（Ｎ≠１、２、３、５、７）が検索条件となる。
【００４２】
ステップ＃２において、検索条件に一致する過去番組がある場合にはステップ＃３に移行し、一致する過去番組がない場合には過去番組保存動作は終了する。
【００４３】
ステップ＃３では、検索条件を満たす過去番組がすべて抽出される。例えば、本実施形態では、過去番組「Ａ  第４回」及び「Ａ  第６回」が抽出される。この時、抽出された過去番組に関する情報（例えば番組名、放送回、出演者、放送時間等）を表示部１４に表示する。これにより、使用者は第１記憶部１８内に所望の過去番組が存在することを容易に認識することができる。なお、抽出された過去番組に関する情報をテレビジョン受像装置２（外部機器）の表示部２１の画面２１ａに表示してもよい。
【００４４】
ステップ＃４では、検索条件を満たして放送日時が最も古い過去番組を抽出する。本実施形態では、検索条件を満たす過去番組「Ａ  第４回」及び「Ａ  第６回」のうち、放送日時が最も古い過去番組「Ａ  第４回」が抽出される。この時、表示部１４において、過去番組「Ａ  第４回」に関する情報の表示を過去番組「Ａ  第６回」に関する情報の表示と異なるようにする。例えば、過去番組「Ａ  第４回」に関する情報の表示を青色で囲む。
【００４５】
ステップ＃５では使用者による再録画の指示があるか否かが判断される。ここで、再録画とは第１記憶部１８に一時記憶されている放送番組を第２記憶部１９に記憶させることをいう。操作部１５やリモートコントローラ８０の所定操作により使用者は過去番組「Ａ  第４回」について再録画指示を出すことができる。
【００４６】
ステップ＃６では、第２記憶部１９の空き容量が所定の下限量よりも多いか否かが判断される。下限量としては例えば標準圧縮モードで４時間分の放送番組の記憶容量を設定することができる。第２記憶部１９の空き容量が下限量よりも多い場合にはステップ＃７に移行し、下限量よりも多くない場合にはステップ＃１０に移行する。
【００４７】
ステップ＃７では、抽出された過去番組を第１記憶部１８から第２記憶部１９へ記憶するのに必要な時間内に他の録画予約が入っているか否かが判断される。録画予約が入っている場合にはステップ＃１０に移行し、録画予約が入っていない場合にはステップ＃８に移行する。
【００４８】
ステップ＃８では再録画が行われる。これにより、検索条件を満たす過去番組を第２記憶部１９で長期保存することができる。本実施形態では、過去番組「Ａ  第４回」が再録画され、第２記憶部１９に記憶される。
【００４９】
ステップ＃９では、ステップ＃３で抽出された過去番組の中に放送日時が次に古い過去番組があるか否かが判断される。次に古い過去番組がない場合には過去番組保存動作は終了し、ある場合にはステップ＃５に戻ってステップ＃５〜ステップ＃９が繰り返される。本実施形態では、次に古い過去番組「Ａ  第６回」についてステップ＃５の判断が行われる。
【００５０】
ステップ＃１０では表示部１４や画面２１ａに例えば「空き容量不足または録画予約のため、録画できません。」というメッセージが表示されて報知が行われる。これにより、使用者は所望の過去番組を第２記憶部１９に記憶できないことを認識することができる。この時、使用者は例えば第２記憶部１９内の他の放送番組をＤＶＤ等の記録媒体に記憶させることにより、第２記憶部１９の空き容量を確保することができる。また、録画予約による録画終了後に再録画を行うことができる。報知後に過去番組保存動作は終了する。
【００５１】
本実施形態によると、チューナ１１ａ〜１１ｃにより受信された放送番組を一時的に記憶する第１記憶部１８を備えるため、放送時間内に視聴や録画予約を行うことができなかった過去番組を放送時間終了後に視聴することができる。
【００５２】
また、本実施形態では、放送番組の第１記憶部１８で一時記憶される期間は約７日間であり、過去番組保存動作は２４時間ごとに行われる。すなわち、検索条件を満たす過去番組は第１記憶部１８での一時記憶中（第１記憶部１８から消去される前）の所定の動作開始時刻（所定のタイミング）で検索され、抽出される。これにより、所望の過去番組が第１記憶部１８から消去される前に、所望の過去番組を第２記憶部１９で長期保存する機会を得ることができる。したがって、録画装置１の利便性を向上させることができる。
【００５３】
また、抽出された過去番組を第２記憶部１９に記憶するため、所望の過去番組を第２記憶部１９で長期保存することができる。
【００５４】
また、検索条件は、第２記憶部１９に記憶された放送番組と同一の番組名であって放送回が異なるという条件であるため、シリーズ性を有する過去番組（例えばドラマ番組やアニメーション番組等）を容易に抽出して、第２記憶部１９に記憶させることができる。
【００５５】
なお、検索条件は、第２記憶部１９に記憶された放送番組と同一の番組名であって放送日時が異なるという条件であってもよい。これにより、例えば継続性を有する放送番組（例えば、旅行番組やバラエティ番組等）のある週の放送分を容易に抽出して、第２記憶部１９に記憶させることができる。また、検索条件はキーワード（例えば「動物」や「乗り物」等）であってもよい。
【００５６】
また、表示部１４を備え、抽出された放送番組に関する情報を表示するため、使用者は第１記憶部１８内に所望の過去番組があることを容易に認識することができる。なお、抽出された過去番組をテレビジョン受像装置２の表示部２１の画面２１ａに表示してもよい。
【００５７】
なお、抽出された過去番組と同一の番組名の放送番組が未来番組表に掲載されている場合がある。この場合には録画装置１の主電源がオンされた際に、録画装置１の表示部１４またはテレビジョン受像装置２の表示部２１の画面２１ａにその未来番組について録画予約の有無を問うメッセージを表示してもよい。これにより、例えば所望の過去番組と同一シリーズであってこれから放送される放送番組を容易に長期保存することができる。
【００５８】
本実施形態では、所定の動作開始時刻になると過去番組保存動作が開始され、検索条件を満たす過去番組の検索及び抽出が自動的に行われる。なお、使用者がテレビジョン受像装置２をオンにした際に、表示部１４または画面２１ａに例えば「見忘れはありませんか？過去番組表を開いてください。」とのメッセージを表示して使用者に対して過去番組表を開くように促すようにしてもよい。この場合、使用者が操作部１５やリモートコントローラ８０の所定の操作により過去番組表を開くと、図４の過去番組保存動作が開始されるようにする。
【００５９】
図５は過去番組表を示すイメージ図である。過去番組表の一番上の行には過去の日付の２０１４年５月１日（木）が表示され、上から２番目の行にはチャンネルの番号とテレビ放送局名とが表示される。過去番組表の両側端の列には時刻が表示される。図５に示すように、検索条件を満たす過去番組「Ａ  第４回」の放送枠は着色されて表示される。
【００６０】
また、検索条件を満たす過去番組のうち、放送日時の順に拘わらず、使用者が選択した過去番組についてステップ＃５以降の処理を行ってもよい。
【００６１】
また、ステップ＃５を省いて、使用者の再録画指示の有無に拘わらず、ステップ＃７のＮＯの場合にステップ＃８で再録画を行ってもよい。これにより、例えば使用者が外出中の場合でも所望の過去番組を容易に再録画することができる。
【００６２】
＜第２実施形態＞
次に、本発明の第２実施形態について説明する。図６は第２実施形態の録画装置の過去番組保存動作を示すフローチャートである。説明の便宜上、図１〜図５に示す第１実施形態と同様の部分には同一の符号を付している。本実施形態では、過去番組保存動作において、第１記憶部１８内の所望の過去番組の消去を禁止する点で第１実施形態とは異なっている。その他の部分は第１実施形態と同様である。
【００６３】
本実施形態の過去番組保存動作では、図４のステップ＃５〜ステップ＃８及びステップ＃１０を省き、ステップ＃２１〜ステップ＃２５を設けている。ステップ＃２１では、抽出された放送番組に対して消去禁止の指示があるか否かが判断される。ここで、消去禁止とは、第１記憶部１８からの放送番組の消去を禁止することをいう。すなわち、消去禁止とは第１記憶部１８において放送番組をプロテクトすることをいう。
【００６４】
ステップ＃２１において、消去禁止の指示がある場合にはステップ＃２２に移行し、ない場合にはステップ＃９に移行する。ステップ＃２２では、抽出された過去番組に対して第１記憶部１８からの消去が禁止される。これにより、所望の過去番組の第１記憶部１８からの消去を防止することができる。また、第２記憶部１９の空き容量が不足している場合でも所望の過去番組を第１記憶部１８で長期保存することができる。
【００６５】
ステップ＃９では、ステップ＃３で抽出された過去番組の中に放送日時が次に古い過去番組があるか否かが判断される。次に古い過去番組がない場合にはステップ２３に移行し、ある場合にはステップ＃２１に戻ってステップ＃２１、ステップ＃２２及びステップ＃９が繰り返される。
【００６６】
ステップ＃２３では、消去禁止（プロテクト）された過去番組と同一番組名の放送番組が未来番組表に存在しているか否かが判断される。消去禁止された過去番組と同一番組名の放送番組が未来番組表に存在している場合にはステップ＃２４に移行し存在していない場合には過去番組保存動作は終了する。
【００６７】
ステップ＃２４では消去禁止の予約の指示があるか否かが判断される。この時、消去禁止された過去番組と同一番組名の未来番組が存在することを表示部１４や画面２１ａに表示して報知する。消去禁止の予約の指示がある場合にはステップ＃２５に移行し、ない場合には過去番組保存動作は終了する。ステップ＃２５では、所望の過去番組と同一番組名で未来番組表に存在している放送番組（未来番組）の消去の禁止が予約される。これにより、例えば所望の過去番組と同一シリーズの未来番組の録画予約等を失念した場合でも未来番組の第１記憶部１８からの消去を防止することができる。ステップ＃２５の後に過去番組保存動作が終了される。
【００６８】
第２実施形態によると、第１実施形態と同様の効果を得ることができる。また、抽出された過去番組の第１記憶部１８からの消去を禁止できるため、抽出された過去番組を第１記憶部１８で長期保存することができる。
【００６９】
なお、第２実施形態において、ステップ＃２１及びステップ＃２４を省いて、使用者の消去禁止指示の有無に拘わらず、所望の放送番組の第１記憶部１８からの消去を禁止してもよい。
【００７０】
＜第３実施形態＞
次に、本発明の第３実施形態について説明する。図７は第３実施形態の録画装置と録画装置に無線接続される携帯情報端末を示す正面図である。説明の便宜上、図１〜図５に示す第１実施形態と同様の部分には同一の符号を付している。本実施形態では録画装置１と携帯情報端末５０（外部機器）とが通信を行う点で第１実施形態とは異なっている。その他の部分は第１実施形態と同様である。
【００７１】
携帯電話機やタブレット端末等の携帯情報端末５０は筐体５１の中央に表示部５２を有し、表示部５２よりも上方及び下方にそれぞれ通話を行うスピーカ５４及びマイク（不図示）が配される。表示部５２は液晶パネル等から成り、操作メニューや通信状況等を表示する。表示部５２上にはタッチパネルから成る操作部５３が形成される。
【００７２】
携帯情報端末５０の端末情報（例えばＭＡＣアドレス等）は第２記憶部１９に予め登録されている。そして、録画装置１は無線接続部１６を介して例えばＢｌｕｅｔооｔｈ規格等により携帯情報端末５０と通信を行う。これにより、録画装置１で再生された放送番組を携帯情報端末５０の表示部５２及びスピーカ５４を介して視聴することができる。また、表示部５２に過去番組表や未来番組表を表示することができる。
【００７３】
図４のステップ＃３及びステップ＃４において、検索条件を満たす過去番組は携帯情報端末の表示部５２に表示される。これにより、使用者は第１記憶部１８に所望の過去番組が存在することを居室外や外出先で容易に認識することができる。また、図４のステップ＃１０において、表示部５２に例えば「空き容量不足または録画予約のため、録画できません。」とのメッセージが表示される。これにより、使用者は再録画ができないことを居室外や外出先で容易に認識することができる。
【００７４】
また、図４のステップ＃５において、携帯情報端末５０の操作部５３の操作により再録画指示を行うことができる。これにより、居室外や外出先からでも所望の過去番組を容易に第２記憶部１９に保存することができる。
【００７５】
第３実施形態によると、第１実施形態と同様の効果を得ることができる。また、録画装置１は携帯情報端末５０（外部機器）と通信を行うため、居室外や外出先からでも検索条件を満たす過去番組を容易に認識することができ、所望の過去番組を容易に第２記憶部１９に保存することができる。
【００７６】
なお、操作部５３の操作により、第２実施形態の図６のステップ＃２１及びステップ＃２４の指示を行ってもよい。これにより、居室外や外出先からでも所望の放送番組の第１記憶部１８からの消去を容易に防止することができる。
【００７７】
なお、第２実施形態の図６の過去番組保存動作と第１実施形態の図４の過去番組保存動作とを選択できるようにしてもよい。
【産業上の利用可能性】
【００７８】
本発明は、放送番組を一時的に記憶する記憶部を備えた録画装置に利用することができる。
【符号の説明】
【００７９】
１        録画再生装置
２        テレビジョン受像装置
３        ハードディスク装置
１０      制御部
１１ａ〜１１ｃ      チューナ
１２      エンコーダ
１３      抽出部
１４      表示部
１５      操作部
１６      無線接続部
１７      有線接続部
１８      第１記憶部
１９      第２記憶部
２０      本体部
２１      表示部
２２      音声出力部
２４      チューナ
２５      操作部
２６      無線接続部
２７      有線接続部
２８      記憶部
２９      制御部
３１      制御部
３２      無線接続部
３３      記憶部
８０      リモートコントローラ
【図１】
2016005127.tif 000003
【図２】
2016005127.tif 000004
【図３】
2016005127.tif 000005
【図４】
2016005127.tif 000006
【図６】
2016005127.tif 000007
【図７】
2016005127.tif 000008
【図５】
2016005127.tif 000009